(57)【要約】      （修正有）【課題】使用者が自ら工夫しつつ組み立てることをも楽しむようにしたものであって、スーパーマーケット等の小売店において購入者に提供される合成樹脂製の買い物袋に代えて、いわゆる「マイバッグ」ないし「エコバッグ」としても使用することができる収納袋を組み立てるための収納袋組立用セットを提供する。【解決手段】収納袋を展開した状態のシート３と、シートに形成された挿通孔５と、挿通孔に挿通される紐７とよりなることを特徴とする収納袋組立用セット。紐はシートと一体に形成されている。シートはリバーシブルである。【選択図】図１
0003134435.tif 000002
【実用新案登録請求の範囲】
【請求項１】
収納袋を展開した状態のシートと、該シートに形成された挿通孔と、該挿通孔に挿通される紐とよりなることを特徴とする収納袋組立用セット。
【請求項２】
前記紐は、前記シートと一体に形成されていることを特徴とする請求項１に記載の収納袋組立用セット。
【請求項３】
前記シートはリバーシブルであることを特徴とする請求項１又は２に記載の収納袋組立用セット。
【考案の詳細な説明】
【技術分野】
【０００１】
本考案は、収納袋組立用セットに関するものであり、更に詳しくは、買い物袋、手提げ、カバン等として種々の用途に使用される収納袋を組立てるために必要な物を揃えてなる収納袋組立用セットに係るものである。
【背景技術】
【０００２】
実用新案登録第３０９０５４３号公報は、携帯用簡易買い物袋を開示している。この携帯用簡易買い物袋は、携行しているときはタバコ大の箱形であって、買い物の際には箱の蓋を開いて中に収納されている袋を引き出して物を収納することができるようにしたものである。
【０００３】
また、実開平６−５７８２７号公報は、底部を折畳み自在とすることにより、コンパクトに折り畳むことができるようにした買い物袋を開示している。
【特許文献１】実用新案登録第３０９０５４３号公報
【特許文献２】実開平６−５７８２７号公報
【考案の開示】
【考案が解決しようとする課題】
【０００４】
上記買い物袋は、いずれも、使用者が完成品を購入して使用するものであり、使用者が自ら組み立てて完成させるものではない。
【０００５】
本考案は、使用者が自ら工夫しつつ組み立てることをも楽しむようにしたものであって、スーパーマーケット等の小売店において購入者に提供される合成樹脂製の買い物袋に代えていわゆる「マイバッグ」ないし「エコバッグ」としても使用することができる収納袋を組立てるための収納袋組立用セットを提供しようとしてなされたものである。
【課題を解決するための手段】
【０００６】
上記課題を解決するために、本考案は、下記の収納袋組立用セットを提供する。
【０００７】
（１）収納袋を展開した状態のシートと、該シートに形成された挿通孔と、該挿通孔に挿通される紐とよりなることを特徴とする収納袋組立用セット（請求項１）。
【０００８】
（２）前記紐は、前記シートと一体に形成されている（請求項２）。
【０００９】
（３）前記シートはリバーシブルである（請求項３）。
【考案の効果】
【００１０】
［請求項１の考案］
使用者は、収納袋組立用セットを用いて収納袋を組立てる。すなわち、シートに形成された挿通孔に紐を挿通することにより、収納袋を組立てる。収納袋を組立てる際に、収納袋を展開した状態のシートにおける各部をどのように組み合わせるかは、使用者の随意である。例えば、左右一対の正面構成部のうちのいずれを外側に出すかは使用者の自由であり、左右一対の背面構成部のうちのいずれを外側に出すかは使用者の自由である。また、紐をシートのいずれの挿通孔にどのような順序で挿通させるかも使用者の自由である。換言すれば、使用者は自ら工夫しつつ組み立てることを楽しむことができる。
【００１１】
使用者は、収納袋組立用セットを組立て前のコンパクトな状態で携行し、使用の直前に収納袋に組立てることもできる。すなわち、この場合には、収納袋組立用セットをいわば風呂敷の如く使用するのである。
【００１２】
組立てられた収納袋は、スーパーマーケット等の小売店において購入者に提供される合成樹脂製の買い物袋に代えていわゆる「マイバッグ」ないし「エコバッグ」としても使用することができる。このように、合成樹脂製の買い物袋の使用量を削減することにより、環境に対する負荷を軽減することができる。
【００１３】
［請求項２の考案］
紐はシートと一体に形成されているため、収納袋を組立てる作業は極めて容易である。
【００１４】
［請求項３の考案］
シートはリバーシブルであるため、使用者は、好みに応じて、シートを表裏逆にした状態で収納袋を組立てることができる。
【考案を実施するための最良の形態】
【００１５】
本考案による収納袋組立用セットは、収納袋１を展開した状態のシート３と、該シート３に形成された挿通孔５、５・・・と、該挿通孔５、５・・・に挿通される紐７とよりなる。
【００１６】
シート３は、好ましくは布片とする。シート３の大きさ、形状、模様、色彩等は、組立てるべき収納袋１により異なる。
【００１７】
図１において、符号９、符号１１に示す鎖線は折り曲げ部であり、符号１３に示す実線は切り込み線である。
【００１８】
図１に示すシート３において、折り曲げ部９、９、１１、１１に囲まれた部分は底面構成部１５であり、該底面構成部１５は折り曲げ部１１、１１を介して左右の端面構成部１７ａ、１７ｂに連続し、一方の端面構成部１７ａは折り曲げ部９、９を介して一方の正面構成部１９ａと背面構成部２１ａとに連続し、他方の端面構成部１７ｂは折り曲げ部９、９を介して他方の正面構成部１９ｂと背面構成部２１ｂとに連続している。
【００１９】
底面構成部１５は折り曲げ部９、９を介して正面延長部２３と背面延長部２５とに連続している。
【００２０】
図１に示す事例においては、紐７、７、７、７はシート３と一体に形成されている。すなわち、紐７、７、７、７は、底面構成部１５の正面延長部２３又は背面延長部２５に連続して形成されている。
【００２１】
シート３は、好ましくは、リバーシブルである。すなわち、シート３は、好ましくは、いずれの面を表にしても使用することもできる。
【００２２】
図４に示す事例においては、底面構成部１５にも挿通孔５、５が形成され、底面構成部１５の各挿通孔５にも紐７が挿通されている。
【００２３】
図４に示す事例においては、紐７はシート３とは別体のものである。また、この紐７は環状に形成され又は連結されている。
【００２４】
図４に示す事例においては、収納袋１の開口部に蓋部２７が設けられている。
【００２５】
図５において、符号２９、符号３１、符号３２に示す鎖線は折り曲げ部であり、符号３３に示す実線は切り込み線である。
【００２６】
図５に示すシート３において、折り曲げ部２９、２９、３１、３１に囲まれた部分は底面構成部３５であり、該底面構成部３５は折り曲げ部２９、２９を介して正面構成部３７と背面構成部３９とに連続し、正面構成部３７は折り曲げ部３１、３１を介して左右の端面構成部４１ａ、４１ｂに連続し、背面構成部３９は折り曲げ部３１、３１を介して別の左右の端面構成部４３ａ、４３ｂに連続し、更に背面構成部３９は折り曲げ部３２を介して蓋部４５に連続している。
【００２７】
紐７は、シート３とは別体のものであり、面ファスナー等の連結手段４７により環状に連結される。
【図面の簡単な説明】
【００２８】
【図１】本考案による収納袋組立用セットの一例を示す平面図である。
【図２】同上収納袋組立用セットにより組立てた収納袋の一例を示す断面図である。
【図３】同上収納袋の正面図である。
【図４】本考案による収納袋組立用セットにより組立てた収納袋の別の一例を示す断面図である。
【図５】本考案による収納袋組立用セットの別の一例を示す平面図である。
【符号の説明】
【００２９】
１  収納袋
３  シート
５  挿通孔
７  紐
９  折り曲げ部
１１  折り曲げ部
１３  切り込み線
１５  底面構成部
１７ａ  端面構成部
１７ｂ  端面構成部
１９ａ  正面構成部
１９ｂ  正面構成部
２１ａ  背面構成部
２１ｂ  背面構成部
２３  正面延長部
２５  背面延長部
２７  蓋部
２９  折り曲げ部
３１  折り曲げ部
３２  折り曲げ部
３３  切り込み線
３５  底面構成部
３７  正面構成部
３９  背面構成部
４１ａ  端面構成部
４１ｂ  端面構成部
４３ａ  端面構成部
４３ｂ  端面構成部
４５  蓋部
４７  連結手段
【図１】
0003134435.tif 000003
【図２】
0003134435.tif 000004
【図３】
0003134435.tif 000005
【図４】
0003134435.tif 000006
【図５】
0003134435.tif 000007